(57)【要約】【課題】一定の規模を超える建物においても、操作端末からコントローラへの信号の送信を容易に行うことができる照明システムを提供する。【解決手段】照明システム１は、照明器具２０と、照明器具２０の調光制御に用いられ、照明器具２０の明るさを検出する明るさセンサ１０と、照明器具２０の制御を行うコントローラ３０と、操作端末４０と、を備え、操作端末４０は、照明器具２０の制御に関する設定情報を明るさセンサ１０に無線で送信し、明るさセンサ１０は、設定情報をコントローラ３０に有線で中継する。【選択図】図２
2019036454.tif 000002
【特許請求の範囲】
【請求項１】
照明器具と、
前記照明器具の調光制御に用いられ、前記照明器具の明るさを検出する明るさセンサと、
前記照明器具の制御を行うコントローラと、
操作端末と、を備え、
前記操作端末は、前記照明器具の制御に関する設定情報を前記明るさセンサに無線で送信し、
前記明るさセンサは、前記設定情報を前記コントローラに有線で中継する、
照明システム。
【請求項２】
前記照明システムは、さらに、前記操作端末と通信可能に接続される通信端末を備え、
前記通信端末は、
前記操作端末と接続された際に前記操作端末から前記設定情報を受信する受信部と、
前記受信部が受信した前記設定情報を記憶する記憶部と、
前記記憶部が記憶した前記設定情報を前記明るさセンサに無線で送信する送信部と、を備え、
前記操作端末と前記通信端末との接続は、前記設定情報が全て前記記憶部に記憶された後に切り離される、
請求項１に記載の照明システム。
【請求項３】
前記送信部は、前記設定情報を前記明るさセンサに無線で送信する際に、送信エラーが発生した場合、前記設定情報を再送信する、
請求項２に記載の照明システム。
【請求項４】
前記通信端末は、さらに、前記操作端末から電力供給を受ける給電部を備える、
請求項２又は３に記載の照明システム。
【請求項５】
前記設定情報は、前記明るさセンサと前記照明器具との紐付け情報を含む、
請求項１〜４のいずれか１項に記載の照明システム。
【請求項６】
前記照明システムは、さらに、前記照明器具を制御するためのスイッチを備え、
前記設定情報は、前記スイッチと前記照明器具との紐付け情報を含む、
請求項１〜５のいずれか１項に記載の照明システム。
【請求項７】
照明器具と、前記照明器具の調光制御に用いられ、前記照明器具の明るさを検出する明るさセンサと、前記照明器具の制御を行うコントローラと、操作端末と、前記操作端末と通信可能に接続される通信端末と、を備える照明システムにおける通信端末であって、
前記操作端末と接続された際に前記操作端末から前記照明器具の制御に関する設定情報を受信する受信部と、
前記受信部が受信した前記設定情報を記憶する記憶部と、
前記明るさセンサが前記設定情報を前記コントローラに有線で中継するために、前記記憶部が記憶した前記設定情報を前記明るさセンサに無線で送信する送信部と、を備え、
前記操作端末と前記通信端末との接続は、前記設定情報が全て前記記憶部に記憶された後に切り離される、
通信端末。
【発明の詳細な説明】
【技術分野】
【０００１】
本発明は、照明器具を制御するための照明システム及び通信端末に関する。
【背景技術】
【０００２】
従来、照明器具と、照明器具の調光制御に用いられ、照明器具の明るさを検出する明るさセンサと、照明器具の制御を行うコントローラと、操作端末と、を備える照明システムが開示されている（例えば、特許文献１）。当該照明システムにおいて、例えば、操作端末とコントローラとは、無線（例えばＷｉ−Ｆｉ（登録商標））で通信可能となっており、操作端末からコントローラへ照明器具の制御に関する設定情報が送られることで、コントローラは照明器具の調光制御等の制御が可能となる。
【先行技術文献】
【特許文献】
【０００３】
【特許文献１】特開２０１５−２３０７５７号公報
【発明の概要】
【発明が解決しようとする課題】
【０００４】
しかしながら、操作端末とコントローラとの無線通信には距離的な制約があり、複数フロアからなる建物等、一定の規模を超える建物へ照明システムを適用する際には、操作端末からコントローラへ信号が届かないという問題が発生する。これに対して、照明システムが適用される範囲全てにおいて操作端末とコントローラとが通信できるように、コントローラを複数設置することが考えられるが、照明システムのコストアップ及び電波資源の浪費となってしまう。
【０００５】
そこで、本発明は、一定の規模を超える建物においても、操作端末からコントローラへの信号の送信を容易に行うことができる照明システム及び通信端末を提供することを目的とする。
【課題を解決するための手段】
【０００６】
本発明の一態様に係る照明システムは、照明器具と、前記照明器具の調光制御に用いられ、前記照明器具の明るさを検出する明るさセンサと、前記照明器具の制御を行うコントローラと、操作端末と、を備え、前記操作端末は、前記照明器具の制御に関する設定情報を前記明るさセンサに無線で送信し、前記明るさセンサは、前記設定情報を前記コントローラに有線で中継する。
【０００７】
本発明の一態様に係る通信端末は、照明器具と、前記照明器具の調光制御に用いられ、前記照明器具の明るさを検出する明るさセンサと、前記照明器具の制御を行うコントローラと、操作端末と、前記操作端末と通信可能に接続される通信端末と、を備える照明システムにおける通信端末であって、前記操作端末と接続された際に前記操作端末から前記照明器具の制御に関する設定情報を受信する受信部と、前記受信部が受信した前記設定情報を記憶する記憶部と、前記明るさセンサが前記設定情報を前記コントローラに有線で中継するために、前記記憶部が記憶した前記設定情報を前記明るさセンサに無線で送信する送信部と、を備え、前記操作端末と前記通信端末との接続は、前記設定情報が全て前記記憶部に記憶された後に切り離される。
【発明の効果】
【０００８】
本発明の一態様に係る照明システム及び通信端末によれば、一定の規模を超える建物においても、操作端末からコントローラへの信号の送信を容易に行うことができる。
【図面の簡単な説明】
【０００９】
【図１】図１は、本発明に至った経緯を説明するための図である。
【図２】図２は、実施の形態に係る照明システムの一例を示す構成図である。
【図３】図３は、実施の形態に係る通信端末の一例を示す構成図である。
【図４】図４は、実施の形態に係る通信端末の一例を示す外観図である。
【発明を実施するための形態】
【００１０】
（本発明に至った経緯）
図１は、本発明に至った経緯を説明するための図であり、まず、図１を用いて本発明に至った経緯について説明する。
【００１１】
照明器具の明るさ（具体的には、照明器具に照射される床面等の照度）に応じて照明器具の調光制御が行われる照明システム１ａは、照明器具（図１では図示せず）と、照明器具の調光制御に用いられ、照明器具の明るさを検出する明るさセンサ１０と、照明器具の制御を行うコントローラ３０と、操作端末４０と、を備える。照明システム１ａにおいて、操作端末４０は、照明器具の制御に関する設定情報を無線（例えばＷｉ−Ｆｉ（登録商標））でコントローラ３０に送信する。これにより、コントローラ３０は、照明器具の調光制御等の制御が可能となる。
【００１２】
しかしながら、操作端末４０とコントローラ３０との無線通信には距離的な制約があり、例えばＷｉ−Ｆｉ（登録商標）では、通信可能な距離は約１００ｍとなっている。複数フロアからなる建物等、一定の規模を超える建物へ照明システム１ａを適用する際には、操作端末４０からコントローラ３０へ信号が届かないという問題が発生する。これに対して、照明システム１ａが適用される範囲全てにおいて操作端末４０とコントローラ３０とが通信できるように、コントローラ３０を複数設置することが考えられるが、照明システム１ａのコストアップ及び電波資源の浪費となってしまう。また、コントローラ３０との無線通信が可能な範囲内に操作端末４０を移動させてから設定情報を送信することも考えられるが、照明器具の設置のされ方等によっては、当該照明器具の制御に関する設定情報の内容も変わってくるため、当該照明器具が設置された現場で当該照明器具を見ながら設定情報を送信したいという要望がある。
【００１３】
ここで、本願発明者は、照明器具と明るさセンサ１０とは無線で接続されており、照明器具は明るさセンサ１０を介して調光制御等がなされていることに着目し、操作端末４０からコントローラ３０への信号の送信に、明るさセンサ１０と照明器具との間で用いられている無線通信を利用することを見出した。
【００１４】
以下では、本発明の実施の形態について、図面を用いて詳細に説明する。なお、以下に説明する実施の形態は、いずれも本発明の好ましい一具体例を示すものである。したがって、以下の実施の形態で示される数値、構成要素、構成要素の配置および接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１５】
また、各図は、模式図であり、必ずしも厳密に図示されたものではない。また、各図において、同じ構成要素については同じ符号を付している。
【００１６】
（実施の形態）
以下、実施の形態について、図２及び図３を用いて説明する。
【００１７】
［照明システムの構成］
図２は、実施の形態に係る照明システム１の一例を示す構成図である。
【００１８】
照明システム１は、照明器具を調光制御等するためのシステムであり、複数フロアからなる建物等、一定の規模を超える建物へ適用され得る。照明システム１は、照明器具２０と、照明器具２０の調光制御に用いられ、照明器具２０の明るさを検出する明るさセンサ１０と、照明器具２０の制御を行うコントローラ３０と、操作端末４０と、を備える。また、照明システム１は、さらに、操作端末４０と接続される通信端末５０、照明器具２０への電力供給のオン及びオフを切り替えるリレー６０、照明器具２０を制御するためのスイッチ７０、及び、センサ８０を備える。
【００１９】
明るさセンサ１０は、照明器具２０の調光制御に用いられ、照明器具２０の明るさを検出するセンサである。例えば、明るさセンサ１０は、照明器具２０が設置された場所の周辺に設置され、照明器具２０に照射される床面等の照度を検出することで、照明器具２０の明るさを検出する。例えば、明るさセンサ１０によって検出された明るさが予め定められた設定値となるように、照明器具２０は調光制御される。具体的には、検出された明るさが予め定められた明るさの設定値よりも明るい場合には照明器具２０の調光率が下げられ、暗い場合には、照明器具２０の調光率が上げられる。予め定められた明るさの設定値は、例えば、明るさセンサ１０に記憶されており、明るさセンサ１０は、検出した明るさ及び明るさセンサ１０が記憶している予め定められた明るさの設定値に応じて照明器具２０の調光制御を行う。明るさセンサ１０と照明器具２０とは、無線で通信可能に接続されており、明るさセンサ１０は調光制御に関する制御信号を照明器具２０に送信することで、照明器具２０の調光制御が行われる。明るさセンサ１０と照明器具２０との通信には、例えば、９２０ＭＨｚ帯の特定小電力無線が用いられる。当該特定小電力無線の通信可能な距離は約３５ｍとなっており、明るさセンサ１０の明るさを検出可能な距離をカバーしている。言い換えると、明るさセンサ１０が明るさを検出する照明器具２０は、当該通信可能な距離内に設置されている。上述したように、照明システム１は、一定の規模を超える建物へ適用され得るため、１つの明るさセンサ１０で当該建物に設置される全ての照明器具２０の明るさを検出することは難しく、例えば所定の領域毎に明るさセンサ１０が設置される。
【００２０】
なお、予め定められた明るさの設定値は、コントローラ３０に記憶されていてもよく、明るさセンサ１０は、検出した照明器具２０の明るさに関する情報をコントローラ３０に送信し、コントローラ３０は受信した当該情報及びコントローラ３０が記憶している予め定められた明るさの設定値に応じて照明器具２０の調光制御を行ってもよい。この場合、コントローラ３０は、調光制御に関する制御信号を明るさセンサ１０に送信し、明るさセンサ１０は受信した当該制御信号をさらに照明器具２０に送信することで、照明器具２０の調光制御が行われる。
【００２１】
照明器具２０は、光源を含み、点灯及び消灯の切り替え、並びに、調光率（明るさ）の変更が可能な装置である。上述したように、照明システム１は、一定の規模を超える建物へ適用され得るため、当該建物には照明器具２０が複数設置される。例えば、上述した所定の領域に設置された明るさセンサ１０と複数の照明器具２０とが紐付けされており、当該紐付けは所定の領域毎になされている。したがって、所定の領域毎に、照明器具２０の明るさに応じて当該照明器具２０の調光制御を行うことができる。また、照明器具２０は、リレー６０を介して電力が供給され、例えば、所定の領域毎に照明器具２０への電力供給をオフすることができる。
【００２２】
コントローラ３０は、照明器具２０の制御を行うコントローラであり、照明システム１におけるいわゆる親機コントローラである。コントローラ３０は、操作端末４０から送信された照明器具２０の制御に関する設定情報を記憶しており、記憶した設定情報に応じて照明器具２０を制御する。設定情報については、後述する。
【００２３】
操作端末４０は、例えば、スマートフォン又はタブレット等の携帯端末であり、設定情報を明るさセンサ１０に無線で送信する。具体的には、操作端末４０は、後述する通信端末５０を介して、設定情報を明るさセンサ１０に無線で送信する。ユーザは、操作端末４０を用いて照明器具２０の制御に関する設定を行う。操作端末４０と明るさセンサ１０との通信（具体的には、通信端末５０と明るさセンサ１０との通信）には、明るさセンサ１０と照明器具２０との通信で用いた無線と同じ方式が用いられ、具体的には特定小電力無線が用いられる。明るさセンサは、受信した設定情報をコントローラ３０に有線で中継する。このように、設定情報は、操作端末４０からコントローラ３０へ直接送信されず、いったん明るさセンサ１０へ送信され、明るさセンサ１０からコントローラ３０へ送信さえる。
【００２４】
通信端末５０は、操作端末４０と通信可能に接続される通信インタフェースであり、例えば特定小電力無線による通信機能を有している。操作端末４０としてスマートフォン又はタブレット等の携帯端末は、特定小電力無線による通信機能を有していないことがあり、操作端末４０と明るさセンサ１０とは、特定小電力無線による通信機能を有している通信端末５０を介して無線通信が可能となる。通信端末５０と操作端末４０とは、例えば、ＢＬＥ（Ｂｌｕｅｔｏｏｔｈ（登録商標）  Ｌｏｗ  Ｅｎｅｒｇｙ）により通信可能に接続される。また、通信端末５０の構成の詳細については後述するが、通信端末５０は、ＵＳＢ（Ｕｎｉｖｅｒｓａｌ  Ｓｅｒｉａｌ  Ｂｕｓ）コネクタを有し、通信端末５０と操作端末４０とは、ＵＳＢコネクタを介して通信可能に接続されてもよい。また、通信端末５０と操作端末４０とは、赤外線により通信可能に接続されてもよい。
【００２５】
リレー６０は、照明器具２０への電力供給のオン及びオフを切り替えるスイッチである。リレー６０は、例えば、コントローラ３０からの指示に応じて、照明器具２０への電力供給のオン及びオフを切り替える。
【００２６】
スイッチ７０は、例えば建物の壁等に設けられる壁スイッチであり、所望の照明器具２０を操作するための複数のボタンを有している。例えば、各ボタンには、操作対象の照明器具２０と当該照明器具２０に動作させる内容（例えば調光率８０％で動作等）が対応付けられている。また、例えば、スイッチ７０は、押下されている間所望の照明器具２０の調光率を上げ続けるボタン、及び、押下されている間所望の照明器具２０の調光率を下げ続けるボタンを有していてもよい。
【００２７】
センサ８０は、照明器具２０の制御に関するセンサであれば特に限定されてないが、例えば、人感センサである。例えば、センサ８０（人感センサ）が人を感知しなくなった際に、照明器具２０が消灯される。
【００２８】
［設定情報］
次に、コントローラ３０に送信された照明器具２０の制御に関する設定情報について説明する。
【００２９】
設定情報は、例えば、明るさセンサ１０と照明器具２０との紐付け情報を含み、コントローラ３０は、複数の照明器具２０のうちの所望の照明器具２０を制御する際に当該紐付け情報を参照する。具体的には、コントローラ３０は、当該紐付け情報に基づいて、所望の照明器具２０に紐付けされた明るさセンサ１０に対して、当該所望の照明器具２０に所望の動作をさせるように指示する。
【００３０】
また、設定情報は、例えば、照明器具２０のグルーピングに関する情報を含み、コントローラ３０は、グループ毎に照明器具２０を制御する際に当該グルーピングに関する情報を参照する。
【００３１】
また、設定情報は、例えば、照明器具２０の調光率等を時刻に応じて変化させるスケジュール動作に関する情報を含み、コントローラ３０は、照明器具２０のスケジュール動作をする際に当該スケジュール動作に関する情報を参照する。
【００３２】
また、設定情報は、例えば、スイッチ７０と照明器具２０との紐付け情報を含む。例えば、スイッチ７０が有する１つのボタンが押下された場合、コントローラ３０は、当該１つのボタンに紐付けされた照明器具２０を当該１つのボタンに対応する制御内容で制御する。
【００３３】
また、設定情報は、例えば、センサ８０と照明器具２０との紐付け情報を含む。例えば、センサ８０は紐付けされた照明器具２０の周囲の人を感知する人感センサであり、コントローラ３０は、当該照明器具２０の周囲に人がいない場合、当該照明器具２０を消灯させ、人がいる場合、当該照明器具２０を点灯させる。
【００３４】
このように、設定情報は、様々な情報を含み、また、将来的には、上述した情報以外の情報も含み得るため、データサイズが大きなものとなり得る。
【００３５】
［通信端末の構成］
次に、通信端末５０の構成について、図３及び図４を用いて説明する。
【００３６】
図３は、実施の形態に係る通信端末５０の一例を示す構成図である。
【００３７】
通信端末５０は、プロセッサ（マイクロプロセッサ）、通信回路、ユーザインタフェース等を含むコンピュータであり、受信部５１、送信部５２、給電部５３及び記憶部５４を備える。記憶部５４は、ＲＯＭ、ＲＡＭ等であり、例えば不揮発性メモリを含んでいてもよい。ユーザインタフェースは、例えば、ボタン等の入力装置を含む。プロセッサは、記憶部５４に格納されたプログラムを実行することにより、受信部５１、送信部５２、給電部５３等を制御する処理を行う。通信端末５０は、例えば手のひらサイズであり、持ち運び可能な端末である。通信端末５０は、操作端末４０から電力供給を受ける給電部５３を備えるため、電池を有していなくてもよく、通信端末５０が軽くなり持ち運びやすくなる。なお、後述するが、本実施の形態では、通信端末５０は操作端末４０から電力供給によって充電可能な電池を有している。
【００３８】
受信部５１は、通信端末５０が操作端末４０と接続された際に操作端末４０から設定情報を受信する。記憶部５４は、受信部５１が受信した設定情報を記憶する。そして、送信部５２は、明るさセンサ１０が設定情報をコントローラ３０に有線で中継するために、記憶部５４が記憶した設定情報を明るさセンサ１０に無線で送信する。操作端末４０と通信端末５０との接続は、設定情報が全て記憶部５４に記憶された後に切り離される。なお、通信端末５０は、操作端末４０と通信端末５０との接続が切り離されても、記憶部５４が記憶した設定情報を明るさセンサ１０に無線で送信することができる。
【００３９】
また、送信部５２は、設定情報を明るさセンサ１０に無線で送信する際に、送信エラーが発生した場合、設定情報を再送信する。操作端末４０と通信端末５０との接続が切り離されていても、設定情報は記憶部５４に記憶されているため、通信端末５０は、送信エラーが発生した場合でも、設定情報を再送信できる。
【００４０】
図４は、実施の形態に係る通信端末５０の一例を示す外観図である。
【００４１】
通信端末５０は、ＵＳＢコネクタ１０１、有線伝送コネクタ１０２、電池ボックス１０３、送信ボタン１０４、スピーカ１０５、赤ランプ１０６及び緑ランプ１０７を備える。
【００４２】
ＵＳＢコネクタ１０１は、ＰＣ（Ｐｅｒｓｏｎａｌ  Ｃｏｍｐｕｔｅｒ）等と通信端末５０との接続を可能にするコネクタである。例えば、通信端末５０は、設定情報を、ＵＳＢコネクタ１０１を介してＰＣ等から取得してもよく、ＰＣ等により設定情報の修正、更新等がなされてもよい。また、ＵＳＢコネクタ１０１は、操作端末４０との接続を可能にするコネクタであってもよい。この場合、受信部５１は、ＵＳＢコネクタ１０１によって実現されてもよい。つまり、通信端末５０は、設定情報を、ＵＳＢコネクタ１０１を介して操作端末４０から取得してもよい。また、給電部５３は、ＵＳＢコネクタ１０１によって実現されてもよい。つまり、通信端末５０は、ＵＳＢコネクタ１０１を介して操作端末４０から電力供給を受けてもよい。
【００４３】
有線伝送コネクタ１０２は、コントローラ３０と通信端末５０との接続を可能にするコネクタである。設定情報は、通信端末５０から明るさセンサ１０へ無線で送信され、明るさセンサ１０からコントローラ３０へ有線で中継されるが、例えば、有線伝送コネクタ１０２を介して、通信端末５０からコントローラ３０へ直接送信されてもよい。
【００４４】
電池ボックス１０３には、通信端末５０を動作させるための電池が収納されている。当該電池は、操作端末４０から電力供給によって充電される充電池であってもよいし、乾電池等であってもよい。
【００４５】
送信ボタン１０４は、記憶部５４に記憶された設定情報の、明るさセンサ１０への送信を開始するためのボタンである。これにより、ユーザの所望のタイミングで設定情報の送信を開始できる。
【００４６】
スピーカ１０５は、例えば、通信端末５０の紛失時に周囲に存在を知らせるための音を出力する。これは、詳細は後述するが、明るさセンサ１０を介した通信端末５０からコントローラ３０への設定情報の送信には時間が掛かることがあり、設定情報の送信中には通信端末５０が放置されて紛失のおそれがあるためである。
【００４７】
赤ランプ１０６は、例えば、設定情報の通信中のエラー、又は、電池残量の低下をユーザに知らせるためのランプであり、緑ランプ１０７は、例えば、設定情報の通信中であること、又は、通信が完了したことをユーザに知らせるためのランプである。
【００４８】
なお、通信端末５０は、赤外線通信機能を有していてもよく、赤外線により、照明器具２０の調光制御を行う機能を有していてもよい。また、通信端末５０は、電源ボタンを有していてもよく、使用しない際には電源をオフして不要な電力消費を抑制してもよい。
【００４９】
［効果等］
以上説明したように、本実施の形態に係る照明システム１は、照明器具２０と、照明器具２０の調光制御に用いられ、照明器具２０の明るさを検出する明るさセンサ１０と、照明器具２０の制御を行うコントローラ３０と、操作端末４０と、を備える。操作端末４０は、照明器具２０の制御に関する設定情報を明るさセンサに無線で送信し、明るさセンサ１０は、設定情報をコントローラ３０に有線で中継する。
【００５０】
一定の規模を超える建物では、無線通信の距離的な制約により、照明器具２０の制御に関する設定情報を操作端末４０からコントローラ３０へ無線で直接送信することが難しい場合がある。これに対して、本発明では、設定情報は、操作端末４０からコントローラ３０へ無線で直接送信されず、いったん、明るさセンサ１０に無線で送信され、明るさセンサ１０からコントローラ３０へ有線で中継される。これにより、一定の規模を超える建物においても、操作端末４０からコントローラ３０への信号の送信を容易に行うことができる。また、照明器具２０の設置のされ方等によっては、照明器具２０の制御に関する設定情報の内容も変わってくるため、照明器具２０が設置された現場で照明器具２０を見ながら設定情報を送信したいという要望があるが、設定情報は、照明器具２０の周辺に設置され得る明るさセンサ１０に無線で送信されるため、当該要望を満たすことができる。
【００５１】
また、照明システム１は、さらに、操作端末４０と通信可能に接続される通信端末５０を備えてもよい。通信端末５０は、操作端末４０と接続された際に操作端末４０から設定情報を受信する受信部５１と、受信部５１が受信した設定情報を記憶する記憶部５４と、記憶部５４が記憶した設定情報を明るさセンサ１０に無線で送信する送信部５２と、を備えてもよい。操作端末４０と通信端末５０との接続は、設定情報が全て記憶部５４に記憶された後に切り離されてもよい。
【００５２】
設定情報のデータ量が多い場合、又は、操作端末４０と明るさセンサ１０との通信の通信速度が遅い場合、設定情報の送信が完了するまでに時間が掛かることがある。例えば、設定情報は、上述した様々な情報を含み、また、将来的には上述した情報以外の情報も含み得るため、データサイズが大きなものとなり得る。また、例えば、操作端末４０と明るさセンサ１０との通信に特定小電力無線を用いた場合、空中線電力を小さくする必要があり、間欠動作等によって通信速度が遅くなり得る。
【００５３】
例えば、操作端末４０としてユーザが普段使用するスマートフォン又はタブレット等の携帯端末が用いられた場合、設定情報の送信が完了するまで操作端末４０を明るさセンサ１０の周辺から持ち出すことができなくなってしまい、ユーザが明るさセンサ１０の周辺から離れることができなくなってしまうという問題が発生する。これに対して、本態様では、例えば、設定情報が操作端末４０から通信端末５０に送信されて、通信端末５０に記憶された後には、操作端末４０と通信端末５０との接続が切り離される。したがって、通信端末５０から明るさセンサ１０に設定情報を送信させつつ、ユーザは操作端末４０を明るさセンサ１０の周辺から持ち出すことができる。
【００５４】
また、送信部５２は、設定情報を明るさセンサ１０に無線で送信する際に、送信エラーが発生した場合、設定情報を再送信してもよい。
【００５５】
これにより、設定情報の送信を確実に行うことができる。
【００５６】
また、通信端末５０は、さらに、操作端末４０から電力供給を受ける給電部５３を備えてもよい。
【００５７】
上述したように、照明システム１は、一定の規模を超える建物へ適用され得るため、１つの明るさセンサ１０で当該建物に設置される全ての照明器具２０の明るさを検出することは難しく、所定の領域毎に明るさセンサ１０が設置される。したがって、所定の領域毎の明るさセンサ１０に対して、当該明るさセンサ１０が明るさを検出する照明器具２０の制御に関する設定情報を送信することが想定される。この場合、ユーザは、通信端末５０を所定の領域毎に設定情報を送信するために持ち歩くことが考えられる。したがって、通信端末５０が、操作端末４０から電力供給を受ける給電部５３を備えていることで、電池が不要となり通信端末５０を軽くすることができ、作業効率を上げることができる。
【００５８】
また、設定情報は、明るさセンサ１０と照明器具２０との紐付け情報を含んでいてもよい。
【００５９】
これにより、コントローラ３０は、当該紐付け情報に基づいて、所望の照明器具２０に紐付けされた明るさセンサ１０に対して、当該所望の照明器具２０に所望の動作をさせるように指示することができる。
【００６０】
また、設定情報は、照明システム１は、さらに、照明器具２０を制御するためのスイッチ７０を備え、設定情報は、スイッチ７０と照明器具２０との紐付け情報を含んでいてもよい。
【００６１】
これにより、スイッチ７０が有する１つのボタンが押下された場合、コントローラ３０は、当該１つのボタンに紐付けされた照明器具２０を当該１つのボタンに対応する制御内容で制御することができる。
【００６２】
また、本実施の形態に係る通信端末５０は、照明器具２０と、照明器具２０の調光制御に用いられ、照明器具２０の明るさを検出する明るさセンサ１０と、照明器具２０の制御を行うコントローラ３０と、操作端末４０と、操作端末４０と通信可能に接続される通信端末５０と、を備える照明システム１における通信端末である。通信端末５０は、操作端末４０と接続された際に操作端末４０から照明器具２０の制御に関する設定情報を受信する受信部５１と、受信した設定情報を記憶する記憶部５４と、明るさセンサ１０が設定情報をコントローラ３０に有線で中継するために、記憶部５４が記憶した設定情報を明るさセンサ１０に無線で送信する送信部５２と、を備える。操作端末４０と通信端末５０との接続は、設定情報が全て記憶部５４に記憶された後に切り離される。
【００６３】
これにより、操作端末４０からコントローラ３０への信号の送信を容易に行うことができる通信端末５０を提供できる。また、通信端末５０から明るさセンサ１０に設定情報を送信させつつ、ユーザは操作端末４０を明るさセンサ１０の周辺から持ち出すことができる。
【００６４】
（その他の実施の形態）
以上、実施の形態に係る照明システム１及び通信端末５０について説明したが、本発明は、上記実施の形態に限定されるものではない。
【００６５】
例えば、上記実施の形態では、照明システム１は、リレー６０、スイッチ７０及びセンサ８０を備えていたが、備えていなくてもよい。
【００６６】
また、例えば、上記実施の形態では、通信端末５０は、給電部５３を備えたが、備えていなくてもよい。
【００６７】
また、本発明は、照明システム１及び通信端末５０として実現できるだけでなく、照明システム１及び通信端末５０を構成する各構成要素が行うステップ（処理）を含む方法として実現できる。
【００６８】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【００６９】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【００７０】
また、上記実施の形態の照明システム１及び通信端末５０に含まれる各構成要素は、専用または汎用の回路として実現されてもよい。
【００７１】
また、上記実施の形態の照明システム１及び通信端末５０に含まれる各構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【００７２】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【００７３】
さらに、半導体技術の進歩または派生する別技術によりＬＳＩに置き換わる集積回路化の技術が登場すれば、当然、その技術を用いて、照明システム１及び通信端末５０に含まれる各構成要素の集積回路化が行われてもよい。
【００７４】
その他、実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【符号の説明】
【００７５】
１、１ａ  照明システム
１０  明るさセンサ
２０  照明器具
３０  コントローラ
４０  操作端末
５０  通信端末
５１  受信部
５２  送信部
５３  給電部
５４  記憶部
７０  スイッチ
【図１】
2019036454.tif 000003
【図２】
2019036454.tif 000004
【図３】
2019036454.tif 000005
【図４】
2019036454.tif 000006